(57)【要約】【課題】端末処理などの際に、抗張力体の分離に伴い外被から光ファイバテープ心線を容易に取り出すことができる光ファイバケーブルを提供する。【解決手段】光ファイバテープ心線１２と、この光ファイバテープ心線１２の両側に並行に配置された抗張力体１３と、これらを一括被覆する外被１４とを備えた光ファイバケーブルであって、外被１４の表面に、その先端の延長線が前記光ファイバテープ心線１２の側部と一致するノッチ１５を形成する。【選択図】　　　図１
2004037765.tif 000002
【特許請求の範囲】
【請求項１】
光ファイバテープ心線と、この光ファイバテープ心線の両側に並行に配置された抗張力体と、これらを一括被覆する外被とを備えた光ファイバケーブルであって、前記外被の表面には、その先端の延長線が前記光ファイバテープ心線の側部と一致するノッチが形成されていることを特徴とする光ファイバケーブル。
【請求項２】
厚さ方向に積層された複数の光ファイバテープ心線と、これらの光ファイバテープ心線群の両側に並行に配置された抗張力体と、これらを一括被覆する外被とを備えた光ファイバケーブルであって、前記外被の表面には、その先端の延長線が前記光ファイバテープ心線群の側部と一致するノッチが形成されていることを特徴とする光ファイバケーブル。
【請求項３】
前記ノッチは、前記光ファイバテープ心線の両側にそれぞれ設けられていることを特徴とする請求項１または２記載の光ファイバケーブル。
【請求項４】
前記光ファイバテープ心線の両側にそれぞれ対向する２個のノッチが設けられていることを特徴とする請求項１または２記載の光ファイバケーブル。
【請求項５】
前記各抗張力体を被覆した部分の厚さを、前記光ファイバテープ心線を被覆した部分の厚さより大きくしたことを特徴とする請求項１乃至４のいずれか１項記載の光ファイバケーブル。
【発明の詳細な説明】
【０００１】
【発明の属する技術分野】
本発明は、集合住宅やオフィスビルの屋内配線などに使用される、光ファイバテープ心線の両側に抗張力体を備えた光ファイバケーブルに関する。
【０００２】
【従来の技術】
集合住宅やオフィスビルなどの屋内配線用光ファイバケーブルとして、図５に示すような、光ファイバテープ心線（以下、光ファイバ心線と称す）１の両側に、温度変化による光ファイバの伝送損失の増加を防ぐ目的および光ファイバケーブル布設時に光ファイバに応力が加わらないよう、鋼線などからなる抗張力体２を並行に配設し、これらをポリエチレンなどの樹脂で一括被覆３したものが知られている。
【０００３】
このような光ファイバケーブルにおいては、従来より、同図に示すように、端末処理などの際の光ファイバ心線１と抗張力体２との分離を容易にするため、被覆３の上面および下面に、被覆３を引き裂いて抗張力体２を分離するためのノッチ４を設けている。
【０００４】
しかしながら、従来の光ファイバケーブルにおいては、ノッチ４が、光ファイバ心線１とその両側の各抗張力体２とのほぼ中間に設けられているため、被覆３を引き裂いて光ファイバ心線１と抗張力体２とを分離した際には、光ファイバ心線１の全周に被覆３が密着したまま残存する。このため、被覆３から光ファイバ心線１を取り出すには、光ファイバ心線１を傷つけないように細心の注意を払いながら、光ファイバ心線１に密着した被覆３をさらに引き裂いて除去する必要があり、光ファイバ心線１の取り出し作業性が悪いという問題があった。
【０００５】
【発明が解決しようとする課題】
上述したように、光ファイバ心線の両側に抗張力体を並行に配設しこれらを樹脂で一括被覆した構造の従来の光ファイバケーブルにおいては、光ファイバ心線と各抗張力体とのほぼ中間にノッチが設けられているため、光ファイバ心線の取り出し作業性が悪いという問題があった。
【０００６】
本発明はこのような問題を解決するためになされたもので、端末処理などの際に、抗張力体の分離に伴い外被から光ファイバテープ心線を容易に取り出すことができる光ファイバケーブルを提供することを目的とする。
【０００７】
【課題を解決するための手段】
上記目的を達成するため、請求項１に記載された発明は、光ファイバテープ心線と、この光ファイバテープ心線の両側に並行に配置された抗張力体と、これらを一括被覆する外被とを備えた光ファイバケーブルであって、前記外被の表面には、その先端の延長線が前記光ファイバテープ心線の側部と一致するノッチが形成されていることを特徴とする光ファイバケーブルである。
【０００８】
請求項２に記載された発明は、厚さ方向に積層された複数の光ファイバテープ心線と、これらの光ファイバテープ心線群の両側に並行に配置された抗張力体と、これらを一括被覆する外被とを備えた光ファイバケーブルであって、前記外被の表面には、その先端の延長線が前記光ファイバテープ心線群の側部と一致するノッチが形成されていることを特徴とする光ファイバケーブルである。
【０００９】
請求項３に記載された発明は、前記ノッチは、前記光ファイバテープ心線の両側にそれぞれ設けられていることを特徴とする光ファイバケーブルである。
【００１０】
請求項４に記載された発明は、前記光ファイバテープ心線の両側にそれぞれ対向する２個のノッチが設けられていることを特徴とする光ファイバケーブルである。
【００１１】
請求項５に記載された発明は、前記各抗張力体を被覆した部分の厚さを、前記光ファイバテープ心線を被覆した部分の厚さより大きくしたことを特徴とする光ファイバケーブルである。
【００１２】
本発明の光ファイバケーブルにおいては、外被の表面に、その先端の延長線が光ファイバテープ心線あるいは積層された光ファイバテープ心線群の側部と一致するノッチを形成したので、抗張力体を分離する際、外被から光ファイバテープ心線を容易に取り出すことが可能となる。すなわち、かかるノッチに沿って外被を引き裂き抗張力体を分離すれば、外被が引き裂かれた部分に光ファイバテープ心線あるいは光ファイバテープ心線群の側部が臨む。ここで、光ファイバテープ心線あるいは光ファイバテープ心線群の上下に被覆された外被を掴んで光ファイバテープ心線から剥がすように引っ張れば、外被は光ファイバテープ心線から剥離するため、光ファイバテープ心線を外被から容易に取り出すことができる。
【００１３】
また、前記各抗張力体を被覆した部分の厚さを、光ファイバテープ心線あるいは光ファイバテープ心線群を被覆した部分の厚さより大きくした場合には、光ファイバケーブルに加わる上下方向からの外部応力が光ファイバテープ心線に波及するのを緩和することができる。
【００１４】
【発明の実施の形態】
以下、本発明の実施の形態を図面を用いて説明する。
図１は、本発明の光ファイバケーブルの第１の実施形態を示す断面図である。
【００１５】
図１に示すように、この光ファイバケーブル１０１は、４本の光ファイバ素線１１を並列させ、その外周に一括被覆を施した厚さ約０．３ｍｍ、幅約１．１ｍｍの光ファイバテープ心線１２と、この光ファイバテープ心線１２の両側に並行に配置された鋼線あるいはＦＲＰ（ガラス繊維強化プラスチック）などからなる直径約０．７ｍｍの抗張力体１３と、これらの外側に一括して被覆されたポリエチレンやポリ塩化ビニルなどのプラスチックからなる外被１４とを備えている。外被１４は、幅が約３．５ｍｍ、厚さが約１．５ｍｍの平型状に形成されている。そして、外被１４の表面、光ファイバテープ心線１２の両側部が位置する部分の上下４箇所には、深さ約０．２５ｍｍのノッチ１５が設けられており、これらのノッチ１５は、それぞれの先端の延長線（図中、破線で示す）が光ファイバテープ心線１２の一側部と一致している。
【００１６】
このように構成される光ファイバケーブル１０１においては、外被１４に設けた各ノッチ１５の先端の延長線と光ファイバテープ心線１２の側部が一致しているため、ノッチ１５に沿って外被１４を引き裂き各抗張力体１３の部分を分離すると、外被１４は破線に沿って引き裂かれ、光ファイバテープ心線１２の両側部の表面が外被１４からそれぞれ臨む。したがって、次いで、光ファイバテープ心線１２の上下に被覆された外被１４を掴んで光ファイバテープ心線１２から剥がすように引っ張れば、外被１４は光ファイバテープ心線１２から剥離するため、光ファイバテープ心線１２を外被１４から容易に取り出すことができる。
【００１７】
また、ノッチ１５を、その先端の延長線が光ファイバテープ心線１２の上面や下面に突き当たる位置に設けると、ノッチ１５に沿って抗張力体１３を分離する際に、光ファイバテープ心線１２を破損させるおそれがあるが、本発明においては、ノッチ１５の先端の延長線と光ファイバテープ心線１２の側部を一致させているため、このような問題が発生することもない。
【００１８】
次に本発明の他の実施の形態について説明する。
【００１９】
図２は、本発明の第２の実施形態にかかる断面図である。なお、以下に示す図面において、図１に共通する部分には同一符号を付し、重複する説明を省略する。
【００２０】
本実施形態の光ファイバケーブル１０２では、光ファイバテープ心線１２が２枚厚さ方向に積層されて配置され、これらの光ファイバテープ心線群１６の両側に抗張力体１３が並行に配置されている。外被１４の幅は約３．５ｍｍ、厚さは約１．５ｍｍである。そして、外被１４の表面、光ファイバテープ心線群１６の両側部が位置する部分の上下４箇所には、前記の第１の実施形態の場合と同様の深さ約０．２５ｍｍのノッチ１５が設けられており、これらのノッチ１５は、それぞれの先端の延長線が光ファイバテープ心線群１６の側部と一致している。
【００２１】
このように構成される光ファイバケーブル１０２においても、前記の実施形態の場合と同様、ノッチ１５に沿って外被１４を引き裂き抗張力体１３の部分を分離すると、外被１４は破線に沿って引き裂かれ、光ファイバテープ心線群１６の両側部の表面が外被１４からそれぞれ臨むため、その後、光ファイバテープ心線１２の上下に被覆された外被１４を掴んで光ファイバテープ心線１２から剥がすように引っ張れば、外被１４が光ファイバテープ心線１２から剥離され、光ファイバテープ心線１２を外被１４から容易に取り出すことができる。また、ノッチ１５を、その先端の延長線が光ファイバテープ心線群１６の上面や下面に突き当たる位置に設けた場合のように、抗張力体１３を分離する際に、光ファイバテープ心線１２が破損することもない。
【００２２】
なお、本実施形態において、積層する光ファイバテープ心線１２の数は特に２枚に限定されるものではなく、３枚あるいはそれ以上であってもよい。
【００２３】
図３および図４は、それぞれ本発明の第３および第４の実施形態にかかる断面図である。
【００２４】
図３に示す光ファイバケーブル１０３は、第１の実施形態において、各抗張力体１３を被覆した部分の厚さを約１．６ｍｍ、光ファイバテープ心線１２を被覆した部分の厚さを約１．３ｍｍとし、上下両面において約０．１５ｍｍずつ、各抗張力体１３を被覆した部分の高さが光ファイバテープ心線１２を被覆した部分の高さより高くなるようにしたものである。また、図４に示す光ファイバケーブル１０４は、第２の実施形態において、各抗張力体１３を被覆した部分の厚さを約１．６ｍｍ、光ファイバテープ心線群１６を被覆した部分の厚さを約１．３ｍｍとし、上下両面において約０．１５ｍｍずつ、各抗張力体１３を被覆した部分の高さが光ファイバテープ心線群１６を被覆した部分の高さより高くなるようにしたものである。
【００２５】
これらの光ファイバケーブル１０３および１０４においては、各抗張力体１３を被覆した部分の厚さが光ファイバテープ心線１２あるいは光ファイバテープ心線群１６を被覆した部分の厚さより大きくなっているので、光ファイバケーブル１０３および１０４に加わる上下方向からの外部応力の光ファイバテープ心線１２への影響が緩和され、第１および第２の実施形態に比べ、光ファイバの伝送損失の増加を抑制することができる。
【００２６】
なお、以上説明した実施形態では、いずれも光ファイバテープ心線として、４心光ファイバテープ心線が使用されているが、光ファイバの数や種類、その被覆構成などは特に限定されるものではなく、例えば２心光ファイバテープ心線や８心光ファイバテープ心線であってもよい。
【００２７】
また、ノッチ１５の数も特に４個に限定されるものではなく、例えば光ファイバテープ心線１２あるいは光ファイバテープ心線群１６の片側の上下２箇所に設けるようにしてもよく、あるいは外被１４の上面および下面の一方の面にのみ設けるようにしてもよい。
【００２８】
さらに、第３および第４の実施形態では、各抗張力体１３を被覆した部分の高さが、光ファイバテープ心線１２あるいは光ファイバテープ心線群１６を被覆した部分より、上下両面で高くされているが、例えば各抗張力体１３を被覆した部分と光ファイバテープ心線１２あるいは光ファイバテープ心線群１６を被覆した部分の下面を同一平面とし、上面の被覆の高さのみ変えるようにしてもよい。しかしながら、外部応力が光ファイバテープ心線に波及するのを緩和する効果の点からは、上下両面で被覆の高さを変える構成とすることが好ましい。
【００２９】
【発明の効果】
以上説明したように、本発明の光ファイバケーブルによれば、外被の表面に、その先端の延長線が光ファイバテープ心線（群）の側部と一致するノッチを形成したので、抗張力体を分離する際、外被から光ファイバテープ心線を容易に取り出すことができる。
【図面の簡単な説明】
【図１】本発明の光ファイバケーブルの第１の実施形態を示す断面図。
【図２】本発明の光ファイバケーブルの第２の実施形態を示す断面図。
【図３】本発明の光ファイバケーブルの第３の実施形態を示す断面図。
【図４】本発明の光ファイバケーブルの第４の実施形態を示す断面図。
【図５】従来の光ファイバケーブルの一例を示す断面図。
【符号の説明】
１０１………光ファイバケーブル
１２………光ファイバテープ心線
１３………抗張力体
１４………外被
１５………ノッチ
１６………光ファイバテープ心線群
【図１】
2004037765.tif 000003
【図２】
2004037765.tif 000004
【図３】
2004037765.tif 000005
【図４】
2004037765.tif 000006
【図５】
2004037765.tif 000007